【手続補正書】
【提出日】平成28年11月7日(2016.11.7)
【手続補正１】
【補正対象書類名】明細書
【補正対象項目名】００１０
【補正方法】変更
【補正の内容】
【００１０】
本発明の一様態は、複数台のカメラによる撮像画像を受信可能な情報処理装置であって、
前記複数台のカメラによる撮像画像に関する混雑の度合いを取得する取得手段と、
前記複数台のカメラが混雑状態を撮像したのか、それとも非混雑状態を撮像したのかを判定する判定手段と
を備え、
前記判定手段は、混雑状態を撮像したのか、それとも非混雑状態を撮像したのかの判定対象のカメラによる撮像画像に関する混雑の度合いと、該判定対象のカメラに対応して登録されている該判定対象のカメラに対応する近傍カメラによる撮像画像に関する混雑の度合いと、を用いて、該判定対象のカメラが混雑状態を撮像したのか、それとも非混雑状態を撮像したのかを判定する
ことを特徴とする。
【手続補正２】
【補正対象書類名】特許請求の範囲
【補正対象項目名】全文
【補正方法】変更
【補正の内容】
【特許請求の範囲】
【請求項１】
複数台のカメラによる撮像画像を受信可能な情報処理装置であって、
前記複数台のカメラによる撮像画像に関する混雑の度合いを取得する取得手段と、
前記複数台のカメラが混雑状態を撮像したのか、それとも非混雑状態を撮像したのかを判定する判定手段と
を備え、
前記判定手段は、混雑状態を撮像したのか、それとも非混雑状態を撮像したのかの判定対象のカメラによる撮像画像に関する混雑の度合いと、該判定対象のカメラに対応して登録されている該判定対象のカメラに対応する近傍カメラによる撮像画像に関する混雑の度合いと、を用いて、該判定対象のカメラが混雑状態を撮像したのか、それとも非混雑状態を撮像したのかを判定する
ことを特徴とする情報処理装置。
【請求項２】
更に、
前記複数台のカメラによる撮像画像から該撮像画像に関する混雑の度合いを生成する生成手段を備え、
前記取得手段は、前記生成手段により生成した混雑の度合いを取得することを特徴とする請求項１に記載の情報処理装置。
【請求項３】
前記判定手段は、
前記判定対象のカメラによる撮像画像に関する混雑の度合いと前記近傍カメラによる撮像画像に関する混雑の度合いの差が規定値以上であることを条件に、該判定対象のカメラは混雑状態を撮像したカメラであると判定する
ことを特徴とする請求項１に記載の情報処理装置。
【請求項４】
更に、
前記複数台のカメラによる撮像画像を表示する表示手段を備え、
前記表示手段は、前記複数台のカメラによる撮像画像を、前記判定手段が該カメラに対して判定した結果に応じた表示形態でもって表示することを特徴とする請求項１乃至３の何れか１項に記載の情報処理装置。
【請求項５】
更に、
前記複数台のカメラによる撮像画像を表示する表示手段を備え、
前記表示手段は、前記複数台のカメラのそれぞれによる撮像画像のうち、前記判定手段により混雑状態を撮像したカメラとして判定されたカメラによる撮像画像を、前記判定手段により非混雑状態を撮像したカメラとして判定されたカメラによる撮像画像よりも強調して表示することを特徴とする請求項１乃至３の何れか１項に記載の情報処理装置。
【請求項６】
更に、
前記複数台のカメラによる撮像画像を表示する表示手段を備え、
前記表示手段は、前記複数台のカメラのそれぞれによる撮像画像のうち、前記判定手段により混雑状態を撮像したカメラとして判定されたカメラによる撮像画像を、前記判定手段により非混雑状態を撮像したカメラとして判定されたカメラによる撮像画像よりも大きいサイズで表示することを特徴とする請求項１乃至３の何れか１項に記載の情報処理装置。
【請求項７】
更に、
前記複数台のカメラによる撮像画像を表示する表示手段を備え、
前記表示手段は、前記複数台のカメラのそれぞれによる撮像画像のうち、前記判定手段により混雑状態を撮像したカメラとして判定されたカメラによる撮像画像に枠をつけて表示することを特徴とする請求項１乃至３の何れか１項に記載の情報処理装置。
【請求項８】
更に、
同人物が一方の撮像画像の外に移動して他方の撮像画像に出現したことを検知した場合に、該一方の撮像画像を撮像したカメラを、該他方の撮像画像を撮像したカメラに対応する近傍カメラとして登録する手段を備えることを特徴とする請求項１乃至７の何れか１項に記載の情報処理装置。
【請求項９】
複数台のカメラによる撮像画像を受信可能な情報処理装置であって、
前記複数台のカメラによる撮像画像に関する異常の度合いを取得する取得手段と、
前記複数台のカメラが異常状態を撮像したのか、それとも正常状態を撮像したのかを判定する判定手段と
を備え、
前記判定手段は、異常状態を撮像したのか、それとも正常状態を撮像したのかの判定対象のカメラによる撮像画像に関する異常の度合いと、該判定対象のカメラに対応して登録されている該判定対象のカメラに対応する近傍カメラによる撮像画像に関する異常の度合いと、を用いて、該判定対象のカメラが異常状態を撮像したのか、それとも正常状態を撮像したのかを判定する
ことを特徴とする情報処理装置。
【請求項１０】
複数台のカメラと、
前記複数台のカメラによる撮像画像を受信可能な情報処理装置と、
を有する情報処理システムであって、
前記情報処理装置は、
前記複数台のカメラによる撮像画像に関する混雑の度合いを取得する取得手段と、
前記複数台のカメラが混雑状態を撮像したのか、それとも非混雑状態を撮像したのかを判定する判定手段と
を備え、
前記判定手段は、混雑状態を撮像したのか、それとも非混雑状態を撮像したのかの判定対象のカメラによる撮像画像に関する混雑の度合いと、該判定対象のカメラに対応して登録されている該判定対象のカメラに対応する近傍カメラによる撮像画像に関する混雑の度合いと、を用いて、該判定対象のカメラが混雑状態を撮像したのか、それとも非混雑状態を撮像したのかを判定する
ことを特徴とする情報処理システム。
【請求項１１】
複数台のカメラと、
前記複数台のカメラによる撮像画像を受信可能な情報処理装置と、
を有する情報処理システムであって、
前記複数台のカメラは、撮像画像に関する混雑の度合いを取得する取得手段を備え、
前記情報処理装置は、前記複数台のカメラが混雑状態を撮像したのか、それとも非混雑状態を撮像したのかを判定する判定手段を備え、
前記判定手段は、混雑状態を撮像したのか、それとも非混雑状態を撮像したのかの判定対象のカメラによる撮像画像に関する混雑の度合いと、該判定対象のカメラに対応して登録されている該判定対象のカメラに対応する近傍カメラによる撮像画像に関する混雑の度合いと、を用いて、該判定対象のカメラが混雑状態を撮像したのか、それとも非混雑状態を撮像したのかを判定する
ことを特徴とする情報処理システム。
【請求項１２】
複数台のカメラによる撮像画像を受信可能な情報処理装置が行う情報処理方法であって、
前記情報処理装置の取得手段が、前記複数台のカメラによる撮像画像に関する混雑の度合いを取得する取得工程と、
前記情報処理装置の判定手段が、前記複数台のカメラが混雑状態を撮像したのか、それとも非混雑状態を撮像したのかを判定する判定工程と
を備え、
前記判定工程では、混雑状態を撮像したのか、それとも非混雑状態を撮像したのかの判定対象のカメラによる撮像画像に関する混雑の度合いと、該判定対象のカメラに対応して登録されている該判定対象のカメラに対応する近傍カメラによる撮像画像に関する混雑の度合いと、を用いて、該判定対象のカメラが混雑状態を撮像したのか、それとも非混雑状態を撮像したのかを判定する
ことを特徴とする情報処理方法。
【請求項１３】
前記判定工程では、
前記判定対象のカメラによる撮像画像に関する混雑の度合いと前記近傍カメラによる撮像画像に関する混雑の度合いとの差が規定値以上であることを条件に、該判定対象のカメラは混雑状態を撮像したカメラであると判定する
ことを特徴とする請求項１２に記載の情報処理方法。
【請求項１４】
更に、
前記情報処理装置の表示手段が、前記複数台のカメラによる撮像画像を表示する表示工程を備え、
前記表示工程では、前記複数台のカメラによる撮像画像を、前記判定工程において該カメラに対して判定した結果に応じた表示形態でもって表示することを特徴とする請求項１２又は１３に記載の情報処理方法。
【請求項１５】
複数台のカメラによる撮像画像を受信可能な情報処理装置が行う情報処理方法であって、
前記情報処理装置の取得手段が、前記複数台のカメラによる撮像画像に関する異常の度合いを取得する取得工程と、
前記情報処理装置の判定手段が、前記複数台のカメラが異常状態を撮像したのか、それとも正常状態を撮像したのかを判定する判定工程と
を備え、
前記判定工程では、異常状態を撮像したのか、それとも正常状態を撮像したのかの判定対象のカメラによる撮像画像に関する異常の度合いと、該判定対象のカメラに対応して登録されている該判定対象のカメラに対応する近傍カメラによる撮像画像に関する異常の度合いと、を用いて、該判定対象のカメラが異常状態を撮像したのか、それとも正常状態を撮像したのかを判定する
ことを特徴とする情報処理方法。
【請求項１６】
コンピュータを、請求項１乃至９の何れか１項に記載の情報処理装置の各手段として機能させるためのコンピュータプログラム。